(57)【要約】【課題】降雪期の建築物に積雪し難い防雪システムを提供すること。【解決手段】課題を解決するには、建築物の屋根の上に傾斜を有する発泡材からなる屋根覆い板を設置し、屋根覆い板で覆われていない面に雪または風の吹込み防止シートもしくは板及び防雪板を設置可能な防雪システムを提供すること。【選択図】  図９
2016156201.tif 000002
【特許請求の範囲】
【請求項１】
建築物の周囲もしくは建築物上に屋根覆い板固定器具を設置して、固定器具で脱着可能な屋根覆い板を使用した防雪システム。
【請求項２】
前記建築物に設置した屋根覆い板固定器具に前記屋根覆い板をロープもしくはワイヤーを使用して地面に固定する請求項１記載の防雪システム。
【請求項３】
前記屋根覆い板の内部に強度増加のための構造体を有する請求項１記載の防雪システム。
【請求項４】
前記建築物の前記屋根覆い板で覆われていない面に雪または風の吹込み防止シートまたは吹込み防止板を設けた請求項１記載の防雪システム。
【請求項５】
前記建築物の周囲を覆っている前記屋根覆い板固定器具に雪除けの防雪板を設けた請求項１記載の防雪システム。
【発明の詳細な説明】
【技術分野】
【０００１】    本発明は、屋根覆い板を使用した防雪システムに関する。
【背景技術】
【０００２】現在、雪が建築物に積雪することは当前のことと考えられており、建築物の積雪量を減らすために屋根に流水を散布したり、屋根の上に稼動式のシートや板を置いて移動や振動させ雪を落下させる等を行っている。
【先行技術文献】
【特許文献】
【０００３】
【特許文献１】特開２００６−５２５６９号公報
【特許文献２】特開２００６−３１６５１６号公報
【特許文献３】特開２００７−２４７３７０号公報
【特許文献４】特開２００７−３０９０１８号公報
【発明の概要】
【発明が解決しようとする課題】
【０００４】本件発明が解決しようとする課題は、既存の建築物は居住性を高める為に屋根の傾斜角度を低く建築してあるので降雪時には雪の重さで建築物が崩壊することもあり、雪掻き・雪降ろしが必要不可欠となっている。しかし、毎年多くの死亡事故が雪掻き時に発生している。従来の熱による融雪や散水を行うと積雪内に水が保持されて重い雪になり、粘着性が増して落下し難い状態になる。この水が夜間の厳寒時にひびや隙間に入り込み氷結・膨張して屋根や軒を破壊していた。本発明は高額な設備や除雪費用・労力を必要とせず、積雪を排除するのではなく屋根に雪を積もらせない脱着可能な発泡材からなる屋根覆い板（以下、単に屋根覆い板という）で金属性もしくは樹脂性の補強パイプで構成された骨組みと固定金具を有する丈夫な屋根覆い板を用いた除雪システムを提供することである。
【課題を解決するための手段】
【０００５】本発明の除雪システムは建築物の周囲もしくは建築物上に屋根覆い板固定器具を設置して、固定器具で脱着可能な屋根覆い板を使用した防雪システムである。また、建築物に設置した屋根覆い板固定器具に屋根覆い板をロープもしくはワイヤーを使用して地面に固定している。また、本発明の除雪システムは屋根覆い板の内部に強度増加のために金属や樹脂の構造体を有している。そして、本発明の除雪システムは建築物の前記屋根覆い板で覆われていない面に雪または風の吹込み防止シートもしくは板を設けている。さらに、建築物の周囲を覆っている屋根覆い板固定器具に雪除けの防雪板を設けている。
【発明の効果】
【０００６】本発明は屋根覆い板を使用した防雪システムである。発泡材は高断熱性素材で多層の気体含有構造なので０度以下にならない特徴を有する。屋根覆い板に傾斜を持たせると粘着性の高いミゾレ状態の雪が屋根覆い板に降っても、雪の各結晶が保持する液体部分が重力で下層の雪に移動する。雪の最下層部から撥水性の高い屋根覆い板の表面を流れ抜けるので凝固し難くなり、雪の各結晶が乾いた状態に近くなり、圧縮しても凝固し難く拡散し易いドライスノー・パウダースノーと呼ばれる軽い雪質等に近くなるためである。以上の効果により、屋根覆い板で覆われた屋根は、太陽光や風雪にさらされず凍結からも保護されるので長持ちする。また、電力も水の力も使用しないので経済的で雪が積もらないので落雪が起こらず、雪下ろし時の事故や怪我の危険性も発生しない安全な屋根になる。さらに、建築物の外側に設置した防雪板によって軒下部分の往来が可能になり利便性が向上した。
【図面の簡単な説明】
【０００７】
【図１】図１は、本発明の実施形態の一例で屋根覆い板の透視斜視図である。
【図２】図２は、図１の屋根覆い板の透視正面図である。
【図３】図３は、図１の屋根覆い板の透視側面図である。
【図４】図４は、本発明の実施形態の一例で建築物に屋根覆い板固定器具を設置した斜視図である。
【図５】図５は、図４の屋根覆い板固定器具に屋根覆い板を設置した斜視図である。
【図６】図６は、図５の屋根覆い板をロープ等で地面に固定した斜視図である。
【図７】図７は、図６で建築物に屋根覆い板固定器具を設置し、屋根覆い板固定器具に屋根覆い板を設置した部分拡大側面図である。
【図８】図８は、実施形態の一例で図６に示した建築物の屋根の屋根覆い板で覆われてない側方開口部に雪や風の吹込み防止用のシートもしくは板を設置した斜視図である。
【図９】図９は、図８の屋根覆い板及び雪や風の吹込み防止用のシートと防雪板を建築物の周囲に設置した斜視図である。
【図１０】図１０は、本発明の実施形態の一例で屋根が平らな建築物に屋根覆い板と防雪板を設置した斜視図である。
【発明を実施するための形態】
【０００８】以下、本発明の実施の形態を図１から図１０に基づいて説明する。図１は、本発明の実施形態を構成する部品の一例で発泡材５の強度を増させるために中空構造の金属もしくは樹脂製の屋根覆い板骨組み１に屋根覆い板固定器具６を引掛けて設置するための骨組み固定具２と屋根覆い板９全体をロープ等で地面に固定するロープ通し３を設置し、屋根覆い板骨組み１を発泡材５で被覆した屋根覆い板９を透視した斜視図である。図２は、図１の屋根覆い板９の透視正面図である。屋根覆い板９内部の屋根覆い板骨組み１は発泡材５の末端までは必要なく、少し内側までに設定してある。図３は、図１の屋根覆い板９の透視側面図である。側面から見たほうが良く判るが屋根覆い板９の発泡材５の上方接合部は隙間ができて雪が積もらないように三角形になっているが、四角い形状で接合部に四角形の固定用の隙間材を使用して固定しても良い。図４は、本発明の実施形態の一例で建築物７に本発明の構築物及び降雪の重量をかからせずに地面に分散させるように屋根覆い板固定器具６を地面に設置した状態を示した斜視図である。板固定器具６の足の本数は4本に限定されておらず、建築物の大きさや立地状態によって変更できる。また、屋根覆い板９を引掛ける屋根覆い板固定器具６の構造体の骨組みも建築物の大きさや立地状態によって変更できる。屋根覆い板固定器具６は組み立て式にすると降雪時季以外は取り外して収納出来るので手入れして劣化を防げるようになる。また、地面に蓋付きの差込穴を設置しておくと、穴に屋根覆い板固定器具６の足を差し込んでピン等で固定するだけになるので設置時間も大幅に削減できるようになる。図５は、図４の屋根覆い板固定器具６に屋根覆い板９の発砲材５から露出した屋根覆い板骨組み１に設置された複数個の骨組み固定金具２を引掛けて設置した状態の斜視図である。しかし、この状態では冬季に発生しやすい突風で屋根覆い板９の落下や屋根覆い板固定器具６が破損し建築物を破損する可能性があり危険性がのこる。図６は、図５の屋根覆い板９の発砲材５から露出した屋根覆い板骨組み１に設置されたロープ通し３と地面に設置した固定具１１にロープもしくはワイヤー４を使用して固定した斜視図である。この構造で製作すると建築物７に負担をかけずに屋根覆い板固定器具６に屋根覆い板９の脱着が非常に安易に行える。そして、地面と屋根覆い板９から露出したロープ通し３と地面をロープもしくはワイヤー４で固定することで建築物７は無加重状態になり、降雪時期に発生しうる突風等の自然事象や地震災害時に崩壊や破損し難い構造になる。図７は、前記図５の実施形態を屋根覆い板９の未設置側から見た建築物及び屋根覆い板を使用した防雪システムの頂点接合部近傍の説明図である。建築物７の周りに設置された屋根覆い板固定器具６に屋根覆い板９の発砲材５から露出した屋根覆い板骨組み１に設置された骨組み固定金具２を引掛けて設置してある。屋根覆い板９の接合角度は一般建築物の屋根の１１０度以下で設置されている。この角度は雪が風によって飛散し積雪しにくい状態であり、積雪しても少量しか積雪しない。望ましい角度は９０度から６０度であり、雪は自重で積もらずに落下していく。図８は、図６の実施形態の屋根覆い��９で覆われていない面に雪または風の吹込み防止のシートもしくは板８を設けた斜視図である。設置する板をポリカーボネイト等の透過度が高く強度を有する樹脂を使用すると採光も取ることが出来る。図９は、図８で設置された防雪システムの屋根覆い板固定器具６に防雪板１０を配置した図である。一般的な一戸建て家屋の場合には雨や雪が家屋自体に降りかからない様に軒先が家屋より突出しており、軒先の下部は雨よけ空間になっている。しかし、積雪量の多い地域では家屋の外壁全体を覆い尽くしていて屋内は昼間でも真暗になっている。家屋の軒先より外側に落雪溝や融雪用の流水溝を設置しておくと、屋根に積もるべき雪は落雪溝や流水溝に落下し融雪する。そのため、防雪板１０を設置することで軒先と建築物の間に空間ができるので建築物の周囲を移動できるようになり生活の利便性が向上する。また、強化多層ポリカーボネイト等の透過度が高く強度を有する樹脂の板を使用すると採光を得ることもでき、建築物が雪に接しないので屋内に水分が浸入し難くなる。図１０は、本発明の実施形態の一例で屋根が平らな建築物に片屋根型屋根覆い板固定器具６を配置し、屋根覆い板９と複数の防雪板１０を設置した斜視図である。垂直面には積雪しないので薄めのポリカーボネイト等の樹脂板を使用しても破損し難くい。また、降雪時期にこれまでに無い広い空間を獲得でき、運動や洗濯物を干すこともできる快適な空間を創りだせるようになった。
【符号の説明】
【０００９】  １  屋根覆い板骨組み  ２  骨組み固定具  ３  ロープ通し  ４  ロープもしくはワイヤー  ５  発泡材  ６  屋根覆い板固定器具  ７  建築物  ８  シートもしくは板  ９  屋根覆い板  １０  防雪板  １１  固定具
【図１】
2016156201.tif 000003
【図２】
2016156201.tif 000004
【図３】
2016156201.tif 000005
【図４】
2016156201.tif 000006
【図５】
2016156201.tif 000007
【図６】
2016156201.tif 000008
【図７】
2016156201.tif 000009
【図８】
2016156201.tif 000010
【図９】
2016156201.tif 000011
【図１０】
2016156201.tif 000012